(57)【要約】【目  的】従来、リサイクルされることなく廃棄処分されてきた畳上敷きをリサイクル使用目的に発明された針付きチェーンコンベア解体機を介して、天然資材であるイグサと化学資材であるポリエステル糸を分離回収行うことで相方解体資材が完全にリサイクル使用再生すすることができるという機械発明である。【構  成】金属製抜取針がチェーンコンベア外周全面に付設されてなるチェーンコンベア単体を上下二段に重合せて同一方向に減速回転させる行程から、上下チェーンコンベアの間隙に古畳上敷きを挿入行いイグサとポリエステル糸の解体作用から各各の資材が分離されて回収が行えるよう構成されたリサイクル用解体機である。【特許請求の範囲】
【請求項１】
解体する上敷きイグサ全面に織り込まれているポリエステル糸を抜取回収行う目的において、糸抜き取り針がチェーンコンベアのベルト帯外周全面に付設されてなる、特殊チェーンコンベア単体を更に上下二段に重合させて設置し重合させた。チェーンコンベアを同一方向に回転させる減速電動モーターが付設されてなる構造のいわゆる畳上敷きリサイクル用解体機において回転する上下針付きチェーンコンベアのかき取り回転作用によってイグサと織り糸を解体し分離回収行うことを特徴とした畳上敷きリサイクル用解体機である。
【発明の詳細な説明】
【００１】
【産業上の利用分野】
本発明、畳上敷きリサイクル用解体機は、畳や上敷きを取り扱っている事業所が回収した上敷きから本発明針付きチェーンコンベア解体機を使用してイグサやポリエステル糸を分離回収してリサイクルシステムに取り込むのに利用されるものである。イグサは植物性繊維でありポリエステルは化学繊維である。その特性から前者は主として農業用、後者は工業用にリサイクルされるものである。
【００２】
【従来の技術】
従来、上敷きからイグサやポリエステル糸を取り除くには技術的困難さと採算コストが合わないと見られてきた。そのため大半の上敷きは廃棄物として焼却処分されているが、一部は上敷きを解体せず、堆肥原料として上敷きに畜糞尿等を振りかけて、約２ヶ月掛けて発酵分解させた後出荷している。しかしポリエステル糸が大量に混入しているため、出荷時に篩い機を通して除去しているが完全に残留する糸くずを取り除くことは困難であった。
【００３】
【発明が解決しようとする課題】
上敷きはイグサに２〜３センチメートル毎にポリエステル糸が貫通して締め上げて出来ているため思った以上に強固である。いざ引き抜くとなると非常に強い力が必要であるが力が強過ぎると途中で糸やイグサが切れてしまい、逆に力が弱すぎるとイグサが抜けないという課題ある。そのため糸を切らずに連続的にスムーズにしかもローコストで分離回収する方法が求められていたものである。
【００４】
【課題を解決するための手段】
上敷きを本機テーブル台に乗せる。送りローラーで上敷きの進行速度を一定に保ちながら本機内部へ送り込む。送られて来た上敷きを、上・下部に針が付いたチェーンコンベアで、軽く挟み込みながら送り速度より早く回転させることによって針がイグサに引っかかる。その針付きチェーンコンベアの回転引っかかり運動によって糸からイグサを引き抜いていく方法である。
【００５】
送りローラーの形状はイグサを出来るだけ傷付けない形状にし、且つイグサが糸から引き抜かれる時に掛かる圧力に勝る構造となっている。
【００６】
針付きチェーンコンベアはイグサを出来るだけ傷めず、且つ織り糸の摩擦に耐え、より早く抜き去る様に針の取り付けを出来るだけ多く交互に植え付けたバーをチェーンコンベアに取り付けた。
【００７】
針付きチェーンコンベアを上敷きの表側・裏側より同時回転させることによりイグサの寸断を防止し織り糸の摩擦抵抗を少なくすることができるものである。
【００８】
針付きチェーンコンベアを上敷きと同じ長さにする事は、残糸のもつれ、絡みつきを防止するための方法である。
【００９】
送りローラーを逆転させ、残糸を手前方向に引き戻し、取り出し可能にした。機械操作技術が採用されているものである。
【０１０】
針付きチェーンコンベアは作業性により、横方向又は立て方向にも取り付け可能とした。受け皿でイグサの回収を容易にし、尚かつイグサの結束を可能にしたものである。
【０１１】
上敷きの搬入口は入れ易くし、残糸の取り出しが容易に出来るよう工夫したものである。
【０１２】
【実施例】
平成１５年４月使用電力２００Ｖ、０．７５Ｋｗ、０．２Ｋｗモーター使用。試運転開始。直ちに上敷きを２つ折りにしてテーブル上に乗せて搬入口に差込みスタートボタンを押す。送りローラーが回転しながら上敷きを本機内部へ引き込んでいく。それと同時に針付きチェーンコンベアが回転を始め、上敷きの織り込んだ糸からイグサが抜き取られ、受け皿にさらさらと連続的に降り注ぐように落ちて来た。「イグサ」抜き取りが終了するとセンサーが検知して送りローラーが逆転を始め、「イグサ」を抜き終えた残糸が搬入口へ戻って来たのを回収して試運転を終了した。約１分間の作業時間で上敷き１枚を処理することが出来た。「イグサ」と「ポリエステル糸」が同時に分離回収出来ることも確認されたものである。
平成１５年５月６日から、古畳リサイクル事業会社であるＡＳＤエコシステム株式会社藤井寺工場に於いて、回収された畳上敷きの解体を実施行った結果試運転と同様の効果が得られ、本格的稼働についても約二週間解体作業を連続実施したが問題なく解体のできることが確認できたものである。同時に分離されたイグサとポリエステルの分離状態も良好であったことから、本開発解体機の成功が本格的実施によって再確認されたものである。
【０１３】
【発明の効果】
従来、使用済みの古い上敷きは、上敷き解体技術開発の困難とリサイクル自体のコスト高などのため、大半がリサイクルなど顧みられる事無く捨てられ、焼却され、灰・煙となって環境を汚すだけであった。しかし本発明畳上敷きリサイクル用解体機によって「イグサ」と「ポリエステル糸」を完全に分離回収出来ることになったことで、「イグサ」は農業用に全量利用出来ることになり、また「ポリエステル糸」は再生品や燃料にしてリサイクルすることが可能になった。また、上敷き１枚処理するのに１分と言うスピード処理が出来たため１時間で６０枚の処理が可能になった。消費電力は動力で１時間当たり０．９５ｋｗと極めて省エネである。電気代動力１ｋｗ当たり１３〜１６円であるので、１Ｋｗ消費で上敷き６０枚処理出来る事になり、このためリサイクルしてもコスト採算が充分合うようになった。本リサイクル機は寸法が、長さ１６００ｍｍ、横幅１２００ｍｍ、高さ９００ｍｍとコンパクトな設計であり、運搬も軽トラックで楽に出来るので移動処理事業も可能になった。
環境対策上、地球環境を出来るだけきれいに守り続けることが私たちの責務である。物を燃やせばＣＯ２が発生し地球温暖化の原因となる。それで、この畳上敷きリサイクル用解体機が活躍することで焼却物を減少させることになり、ＣＯ２排出量を相当量抑制する効果が有る。また、上敷きという日本人の生活に密接に絡んで非常に身近な存在である廃棄物が農業用資材、工業用資材として再利用されることになればリサイクルの大切さおよび有効性を多くの人々に感じて貰える教材になるものと考えられる。
【図面の簡単な説明】
【  図  １  】畳上敷きリサイクル解体機    平面図
【  図  ２  】畳上敷きリサイクル解体機    側面図
【  図  ３  】畳上敷きリサイクル解体機    立体図
【符号の説明】
（１）減速モーター
（２）連動ローラー
（３）相回転ローラー
（４）針付きチェーンコンベア
（５）ローラー軸受け
（６）送りローラー
（７）搬入テーブル
（８）送り込み減速モーター
（９）スイッチ操作盤
（１０）架台
（１１）解体物受け皿
（１２）搬入口
【図１】
2004358941.tif 000002
【図２】
2004358941.tif 000003
【図３】
2004358941.tif 000004